(57)【要約】【課題】室内ユニットにおける送受信器の搭載スペースの制約を解消し、かつ受信、送信エリアを干渉することなく確保することのできるリモコン用送受信器及びこれを備えた空気調和機を提供する。【解決手段】受信素子５３が搭載された受信基板５２と、送信素子５５が搭載された送信基板５４と、これら受信基板５２と送信基板５４との間に介在して両者を仮固定する基板結合部品５６と、本体部５７ａ及びヒンジ部５７ｃを介して折り返えされる蓋部５７ｂからなる基板保持部品５７とからなり、基板保持部品５７により、基板結合部品５６及びこの基板結合部品５６により仮固定された受信基板５２及び送信基板５４を挾持して固定し、受信素子５３及び送信素子５５の一部を基板保持部品５７から露出させた。【選択図】図９
2011085268.tif 000002
【特許請求の範囲】
【請求項１】
受信素子が搭載された受信基板と、送信素子が搭載された送信基板と、これら受信基板と送信基板との間に介在して両者を仮固定する基板結合部品と、本体部及びヒンジ部を介して折り返される蓋部からなる基板保持部品とからなり、
該基板保持部品により、前記基板結合部品及び該基板結合部品により仮固定された受信基板及び送信基板を挾持して固定し、前記受信素子及び送信素子の一部を該基板保持部品から露出させたことを特徴とするリモコン用送受信器。
【請求項２】
前記基板結合部品の高さ及び前記送信基板の取付部に対する前記受信基板の取付部の角度の両者又はいずれか一方を変えることにより、前記受信素子の高さ位置又は角度を変え得るようにしたことを特徴とする請求項１記載のリモコン用送受信器。
【請求項３】
前記受信基板に設けた受信素子と、前記送信基板に設けた送信素子との相対角度を変えることにより、受信信号と送信信号とが干渉しないように構成したことを特徴とする請求項２記載のリモコン用送受信器。
【請求項４】
基台と筐体との間に送風ファンや熱交換器が設置されると共に、前記熱交換器の上流側にフィルタが設置され、前記筐体の前面側に開閉可能な前面パネルが設けられた室内ユニットを有し、
前記請求項１〜３のいずれかのリモコン用送受信器を前記基台の一方の側の前面側に取付け、該リモコン用送受信器の受信素子及び送信素子を前記筐体に設けた開口部の内側に位置させたことを特徴とする空気調和機。
【請求項５】
前記室内ユニットを垂直壁面に設置したときは、前記リモコン用送受信器は該室内ユニットの底面近傍に配設され、前記受信素子及び送信素子は斜め前方に傾斜して位置することを特徴とする請求項４記載の空気調和機。
【請求項６】
前記筐体に設けた開口部に、送受信部カバーを着脱可能に装着したことを特徴とする請求項４又は５記載の空気調和機。
【発明の詳細な説明】
【技術分野】
【０００１】
本発明は、リモコン用送受信器及び室内ユニットにこのリモコン用送受信器を備えた空気調和機に関するものである。
【背景技術】
【０００２】
従来の空気調和機の室内ユニットに、リモコンと室内ユニットとの間で赤外線送受信素子を介して、指令送信から結果情報受信までの双方向通信により情報の伝達を行い、空調制御を正確に行うようにしたものがある（例えば、特許文献１参照）。
【先行技術文献】
【特許文献】
【０００３】
【特許文献１】特開２００８−３０９３７９号公報（第７−９頁、図１、図２）
【発明の概要】
【発明が解決しようとする課題】
【０００４】
特許文献１の発明において、室内ユニットを、開閉可能な前面パネルを備えた構造にすると、送・受信器をケーシングの下部に配置することが必須となり、しかも、前面パネルのサイズによっては送・受信部をケーシングの底面又はその近傍に配置せざるを得なくなり、搭載スペースが限られるという問題があった。
また、送信素子と受信素子とを１枚の基板に搭載しようとすると、スペースを小さくして近接して配置するため、受信エリアと送信エリアが互いに干渉し、受光エリアが狭くなるという問題もあった。さらに、送信素子と受信素子をそれぞれ搭載した２枚基板にして上下又は左右に配置すると、搭載スペースが拡大されて室内ユニットの本体に収まらない等の問題もあった。
【０００５】
本発明は、上記の課題を解決するためになされたもので、室内ユニットにおける送受信器の搭載スペースの制約を解消し、かつ受信、送信エリアを干渉することなく確保することのできるリモコン用送受信器及びこれを備えた空気調和機を提供することを目的としたものである。
【課題を解決するための手段】
【０００６】
本発明に係るリモコン用送受信器は、受信素子が搭載された受信基板と、送信素子が搭載された送信基板と、これら受信基板と送信基板との間に介在して両者を仮固定する基板結合部品と、本体部及びヒンジ部を介して折り返される蓋部からなる基板保持部品とからなり、該基板保持部品により、前記基板結合部品及び該基板結合部品により仮固定された受信基板及び送信基板を挾持して固定し、前記受信素子及び送信素子の一部を該基板保持部品から露出させたものである。
【０００７】
また、本発明に係る空気調和機は、基台と筐体との間に送風ファンや熱交換器が設置されると共に、前記熱交換器の上流側にフィルタが設置され、前記筐体の前面側に開閉可能な前面パネルが設けられた室内ユニットを有し、前記のリモコン用送受信器を前記基台の一方の側の前面側に取付け、該リモコン用送受信器の受信素子及び送信素子を前記筐体に設けた開口部の内側に位置させたものである。
【発明の効果】
【０００８】
本発明によれば、リモコン用送受信器を小形化できるので、室内ユニットのリモコン用送受信器の搭載スペースの制約の問題を解消することができて、受信及び送信のエリアを確保することができ、これにより設計の自由度を拡大することができる。
【図面の簡単な説明】
【０００９】
【図１】本発明の一実施の形態に係るリモコン用送受信器を備えた空気調和機の外観斜視図である。
【図２】図１の縦断面図である。
【図３】図１の分解斜視図である。
【図４】図１の筐体の要部の拡大図である。
【図５】図２の電気品箱の分解斜視図である。
【図６】電気品箱を基台に取付ける手順の説明図である。
【図７】電気品箱を基台に取付ける手順の説明図である。
【図８】電気品箱の電源線ガイド部品に送受信器を取付ける手順の説明図である。
【図９】図８の送受信器の分解斜視図である。
【図１０】図９の基板結合部品の斜視図である。
【図１１】図１０の側面図である。
【図１２】図９の受信基板、送信基板及び基板結合部品を組立てた状態を示す側面図である。
【図１３】図１２の斜視図である。
【図１４】図９の組立状態を示す側面図である。
【図１５】基台に電気品箱を組み込んで筐体を取外した状態を示す説明図である。
【図１６】室内ユニットを垂直壁面に取付けたときの断面説明図である。
【図１７】図１６の要部拡大図である。
【発明を実施するための形態】
【００１０】
［実施の形態１］
本発明の一実施の形態に係るリモコン用送受信器を備えた空気調和機の室内ユニット１は、図１〜図４に示すように、基台２と、この基台２の上面から前面を覆う筐体３とからなっている。そして、両者の間には基台２に回転自在に支持された送風ファン４が配置されており、送風ファン４の上流側には、送風ファン４を取り囲むように、例えばフィンチューブ型の熱交換器５が配置され、その下端部にはフラップを有するドレンパンユニット６が設置されている。
【００１１】
７は筐体３の上面に設けられた室内空気の吸込み口で、その下流側（熱交換器５の上流側）から筐体３の前面側上部内側にかけて、フィルタ自動清掃ユニット９を有するフィルタ８が設けられている。１０はフィルタ８の下端部に設置されたダストボックスである。１１は筐体３の前面側に配置され、ドレンパンユニット６とフィルタ自動清掃ユニット９に固定された表示装置ユニットで、表示装置ユニット１１を含む筐体３の前面側には、開閉可能な前面パネル１２が設けられている。
【００１２】
１３は送風ファン４の下流側に設けられた風路、１４は風路１３に連通し、調和空気である冷風又は温風を室内に吹出す吹出し口である。３０は後述の受信素子及び送信素子が搭載されたリモコン用送受信器（以下、単に送受信器という）が取付けられて基台２に固定された電気品箱である。
【００１３】
２０はリモコンからの信号を受信し、またリモコンへ信号を送信する送受信部で、筐体３の前面側下部の一方の側に設けられて、電気品箱３０に取付られた送受信器に搭載された受信素子及び送信素子が位置する開口部２１と、赤外線透過樹脂により形成されて、開口部２１を閉塞する送受信部カバー２２とからなり、送受信部カバー２２は背面に設けた係止爪２２ａ，２２ｂが開口部２１の上下に設けた係止穴２１ａ，２１ｂに係止して、着脱可能に取付けられる。
【００１４】
上記のような室内ユニット１を備えた空気調和機において、リモコンを操作するとその操作信号が送受信部２０の受信素子に受信され、空気調和機が運転を開始する。そして、送風ファン４の回転によって吸込み口７から室内空気が吸引され、フィルタ８を通過して塵埃等が除去された空気は、熱交換器５を通過することにより冷気又は暖気に空気調和され、風路１３を経て吹出し口１４から室内に吹出される。また、運転状況の情報に関する信号が送信素子からリモコンに向って送信される。
このとき、フィルタ８に付着した塵埃等は、フィルタ自動清掃ユニット９により除去され、ダストボックス１０に落下して蓄積される。
【００１５】
次に、図５〜図１４により、送受信器及びその配置について説明する。図５、図６に示すように、電気品箱３０は、空気調和機の運転を制御する電子基板を内蔵した基板保持部品組立体３１と、この基板保持部品組立体３１にねじ６０により一体的に固定された電源線ガイド部品４１とからなっており、電源線ガイド部品４１には、送受信器５０がその係止爪５１が係止穴４４に係止して取付けられている（図８参照）。
【００１６】
そして、この電気品箱３０は、図６、図７に示すように、基板保持部品組立体３１に設けた係止部３２が基台２の一方の側に設けた係止穴１５に係止し、電源線ガイド部品４１に設けた嵌合片４２が基台２の嵌合溝１６に嵌入係止される。さらに、基台２にねじ固定されたファンモータ保持部１７に設けたねじ穴１８に、電源線ガイド部品４１に設けた固定部４３がねじにより固定されて、送受信器５０が取付けられた電気品箱３０はこれら３点で基台２に固定される。
【００１７】
送受信器５０は、図９に示すように、リモコンからの信号を受信する受信素子５３がほぼ垂直に搭載された受信基板５２と、空気調和機の運転状況に関する情報をリモコンに送るための、遠方用素子１個及び近距離用素子２個の３個の送信素子５５が、若干後方（図の上方）に傾いて搭載された送信基板５４と、基板結合部品５６と、本体部５７ａとヒンジ部５７ｃを介して折り返えされる蓋部５７ｂからなる基板保持部品５７とからなっている。なお、送信基板５４に設けた送信素子５５の数は、送信領域によって決るので、その数量を限定するものではない。
【００１８】
基板保持部品５６は、図１０、図１１に示すように、上面の一方の側に受信基板５２の取付部５６ａが設けられており、下面には送信基板５４の取付部５６ｂが設けられている。なお、受信基板５２と送信基板５４は取付位置にこだわらないので、受信基板５２を下面の取付部５６ｂに、送信基板５４を上面の取付部５６ａに配置してもよい。５６ｃは送信基板５４に搭載した送信素子５５の露出部である。５６ｅは下面に設けたガイドピン、５６ｆは同じく係止爪、５６ｇは上面に設けた係止片、５６ｈは側面に設けた突部である。
【００１９】
また、基板結合部品５６の下面に設けた取付部５６ｂから、上面に設けた取付部５６ａまでの高さをｈとした場合、この高さｈ及び下面の取付部５６ｂに対する上面の取付部５６ａの角度αの両者、又はいずれか一方を調整することにより、受信素子５３の角度又は受信素子５３と送信素子５５との相対角度を変えることができ、また、これにより省スペース化をはかることができる。
【００２０】
このような各部からなる送受信器５０は、図１２、図１３に示すように、基板結合部品５６のガイドピン５６ｅが送信基板５４のガイド穴（図示せず）に挿入されて位置決めされ、係止爪５６ｆが送信基板５４の係止穴５４ａに係止して固定される。また、基板結合部品５６に設けた係止片５６ｇが受信基板５２の上面に係止し、さらに突部５６ｈが受信基板５２の切欠き部５２ａに嵌合することで、受信基板５２及び送信基板５４は基板結合部品５６に仮固定される。
【００２１】
このようにして一体化された受信基板５２、送信基板５４及び基板結合部品５６は、図１４に示すように、基板保持部品５７の本体部５７ａ上に設置され、ヒンジ部５７ｃにより蓋部５７ｂを折返えしてこれらを包囲し、本体部５７ａと蓋部５７ｂとの間に保持される。このとき、蓋部５７ｂに設けた係止爪５７ｅが本体部５７ａに設けた係止部５７ｄに係止することにより、受信基板５２、送信基板５４及び基板結合部品５６は、基板保持部品５７に確実に保持固定される。また、送受信器５０の受信素子５３及び送信素子５５は、蓋部５７ｂから露出する。
【００２２】
上記のような基板保持部品組立体３１と電源線ガイド部品４１とが一体に結合された電気品箱３０は、図６、図１５、図１６に示すように、基台２の一方の側に固定され、その上（前面側）に筐体３が装着される。このとき、電気品箱３０の電源線ガイド部品４１に設けた送受信器５０の受信素子５３及び送信素子５５は、筐体３の送受信部２０において、開口部２１を介して送受信器カバー２２の奥側（後方）において斜め前方に傾斜して位置する。
【００２３】
すなわち、図１６、図１７に示すように、電気品箱３０と一体化されて基台２の一方の側に取付けられた送受信器５０は、筐体３の開口部２１の奥側に位置して受信素子５３及び送信素子５５が露出しており、開口部２１に送受信部カバー２２を取付けることにより、受信素子５３及び送信素子５５の前面が覆われる。
そして、室内ユニット１を例えば垂直壁面にセットしたときは、送受信器５０は室内ユニット１の底面近傍に位置し、受信素子５３は鉛直線に対して例えばほぼ４５°程度前面側に傾いて位置しており、送信素子５５は受信素子５３よりさらに前面側に傾いて位置している。
【００２４】
いま、例えば室内ユニット１の斜め下方からリモコンにより送受信器５０に向けて運転信号を送ると、この運転信号は送受信部カバー２２を透過して受信素子５３に到達し、空気調和機は運転を開始する。そして、空気調和機の運転状況は、送信素子５５からリモコンへ送信される。
【００２５】
このとき、受信素子５３は、室内ユニット１の底面近傍において斜め前方に傾斜して配設されているため、リモコンからの運転信号を確実に受信することができる。また、送信素子５５から空気調和機の運転状況に関する信号をリモコンに向って確実に送信することができ、両信号が干渉することはない。
なお、図１７に示すように、送受信部カバー２２の受信素子５３と対向する位置に、例えば断面ほぼ三角形状の凹部２３を設けて、その部分の板厚を薄くすれば、離れた位置からの若干減衰したリモコン操作信号が容易に透過することができるので、リモコンからの信号をより確実に受信することができる。
【００２６】
本発明によれば、送受信器５０を、受信素子５３が搭載された受信基板５２と、複数の送信素子５５が搭載された送信基板５４とを別の基板で構成して基板結合部品５６により仮結合し、これを基板保持部品５７により一体的に固定するようにしたので、全体をコンパクトに構成することができ、また、これにより空気調和機の室内ユニット１の搭載スペースの制約を解消することができて、受信、送信エリアを確保することが可能になり、設計の自由度を高めることができる。
【００２７】
また、基板結合部品５６の高さ及び受信基板５２の取付部５６ａの角度の両者又はいずれか一方を変えることにより、受信素子５３の取付角度又は受信素子５３と送信素子５５との相対角度を変えることができるので、室内ユニット１に設けた送受信器の搭載スペースに容易に対応することができ、また、省スペース化をはかることができる。
また、上記のように、受信素子５３と送信素子５５の相対取付角度を変えることができるので、受信信号と送信信号との干渉を防止することができる。
【符号の説明】
【００２８】
１  室内ユニット、２  基台、３  筐体、４  送風ファン、５  熱交換器、７  吸込み口、８  フィルタ、１２  前面パネル、１４  吹出し口、２０  送受信部、２１  開口部、２２  送受信部カバー、３０  電気品箱、５０  送受信器、５２  受信基板、５３  受信素子、５４  送信基板、５５  送信素子、５６  基板結合部品、５６ａ  受信基板の取付部、５６ｂ  送信基板の取付部、５７  基板保持部品。
【図１】
2011085268.tif 000003
【図２】
2011085268.tif 000004
【図３】
2011085268.tif 000005
【図４】
2011085268.tif 000006
【図５】
2011085268.tif 000007
【図６】
2011085268.tif 000008
【図７】
2011085268.tif 000009
【図８】
2011085268.tif 000010
【図９】
2011085268.tif 000011
【図１０】
2011085268.tif 000012
【図１１】
2011085268.tif 000013
【図１２】
2011085268.tif 000014
【図１３】
2011085268.tif 000015
【図１４】
2011085268.tif 000016
【図１５】
2011085268.tif 000017
【図１６】
2011085268.tif 000018
【図１７】
2011085268.tif 000019